(57)【要約】【課題】タグホルダの取付状態が安定しているとともに，装着している非接触タグの保護性を高めたタグホルダ付き容器，およびそのタグホルダを提供すること。【解決手段】タグホルダ付き容器において非接触タグを保持するタグホルダ２は，容器への装着状態で上側になる上壁部４および下側になる下壁部５と，上壁部４と下壁部５とを繋いで全体として枠状壁部をなす連結壁部６および連結壁部７と，枠状壁部に囲まれた範囲内に位置し装着状態で非接触タグよりも外側に位置する保護部８と，枠状壁部における上下方向または左右方向の外側に形成された取付凸部１２，１３とを有している。取付凸部１２，１３の少なくとも一部は，保護部８よりも外側に位置している。容器側には，タグホルダ２の装着位置よりも上方の上平面部および下方の下平面部と，タグホルダの装着位置と収納スペースとの間を仕切る縦壁面部と，取付凸部１２，１３を取り付ける取付穴とを有する。【選択図】図２
2019142568.tif 000002
【特許請求の範囲】
【請求項１】
非接触タグを保持するタグホルダと，前記タグホルダを装着する容器とで構成されるタグホルダ付き容器であって，
前記タグホルダは，
前記容器に装着された状態で上側に位置する上壁部および下側に位置する下壁部と，    前記上壁部と前記下壁部とを繋いで全体として枠状壁部をなす第１連結壁部および第２連結壁部と，
前記枠状壁部により囲まれた範囲内に位置し，前記容器に装着された状態で非接触タグよりも前記容器における水平面内方向の外側に位置する保護部と，
前記枠状壁部における前記容器に装着された状態での上下方向または左右方向の外側に形成された被取付形状部とを有し，
前記被取付形状部の少なくとも一部が，前記保護部よりも前記容器における水平面内方向の外側に位置しており，
前記容器は，
前記タグホルダを装着する位置よりも上方の上平面部および下方の下平面部と，
前記タグホルダを装着する位置と収納物を収納するスペースとの間を仕切る縦壁面部と，
前記被取付形状部を取り付ける取付形状部とを有し，
前記上平面部，前記下平面部，および前記縦壁面部により区画され外向きに開口したタグホルダ装着スペースが形成されていることを特徴とするタグホルダ付き容器。
【請求項２】
請求項１に記載のタグホルダ付き容器であって，
前記容器に前記タグホルダを装着した状態で前記下平面部と前記下壁部との間に隙間を形成する凸部が，前記下壁部の下面と前記下平面部の上面との少なくとも一方に形成されており，
前記下平面部にはさらに，前記取付形状部とは別の位置に水抜き穴が形成されていることを特徴とするタグホルダ付き容器。
【請求項３】
請求項２に記載のタグホルダ付き容器であって，
前記凸部が前記下壁部の下面に形成されており，
前記水抜き穴は，前記タグホルダを装着した状態で前記凸部と対面しない位置に形成されていることを特徴とするタグホルダ付き容器。
【請求項４】
請求項１から請求項３までのいずれか１つに記載のタグホルダ付き容器であって，
前記容器における，水平方向外側から見て前記タグホルダ装着スペースの両側に，識別部材取付形状部が形成されていることを特徴とするタグホルダ付き容器。
【請求項５】
非接触タグを保持するとともに，容器に装着されてタグホルダ付き容器を構成するタグホルダであって，
容器に装着された状態で上側に位置する上壁部および下側に位置する下壁部と，
前記上壁部と前記下壁部とを繋いで全体として枠状壁部をなす第１連結壁部および第２連結壁部と，
前記枠状壁部により囲まれた範囲内に位置し，容器に装着された状態で非接触タグよりも容器における水平面内方向の外側に位置する保護部と，
前記枠状壁部における容器に装着された状態での上下方向または左右方向の外側に形成された被取付形状部とを有し，
前記枠状壁部には部分的に，容器に装着された状態で外向きに迫り出す形状の迫り出し部が形成されており，
前記被取付形状部は，その少なくとも一部分が前記迫り出し部に形成されていることを特徴とするタグホルダ。
【請求項６】
請求項５に記載のタグホルダであって，
前記保護部が格子状に形成されており，
前記被取付形状部は，前記保護部の窓の箇所に対応する位置に形成されていることを特徴とするタグホルダ。
【請求項７】
請求項５または請求項６に記載のタグホルダであって，
前記枠状壁部には部分的に，容器に装着された状態で内向きに迫り出す形状の内向き突部が形成されており，
前記被取付形状部は，前記内向き突部のない位置に形成されていることを特徴とするタグホルダ。
【発明の詳細な説明】
【技術分野】
【０００１】
本発明は，収納物を収納する容器に関する。さらに詳細には，非接触で情報のやりとりができる非接触タグを保持するタグホルダを取り付けることができるタグホルダ付き容器，およびそのタグホルダに関するものである。
【背景技術】
【０００２】
従来から，ＩＣタグその他の非接触タグを容器に取り付けることが行われている。容器自体もしくはその収納物に関する種々の情報を非接触で管理するためである。そのような従来技術として，特許文献１に記載のものを挙げることができる。同文献の容器には，ＩＣタグを保持するＩＣタグホルダが付属している。このＩＣタグホルダにＩＣタグを保持し，これを容器に取り付けることで，ＩＣタグによる容器の管理ができるようになっている。
【先行技術文献】
【特許文献】
【０００３】
【特許文献１】特許第５４１０１７０号公報
【発明の概要】
【発明が解決しようとする課題】
【０００４】
しかしながら前記した従来の技術では，タグホルダの容器への取付強度や，装着している非接触タグの保護状況という点で，なお改良の余地があった。
【０００５】
本発明は，前記した従来の技術が有する問題点を解決するためになされたものである。すなわちその課題とするところは，タグホルダの容器への取付状態が安定しているとともに，装着している非接触タグが外部からより確実に保護されるタグホルダ付き容器，およびそのタグホルダを提供することにある。
【課題を解決するための手段】
【０００６】
本発明の一態様におけるタグホルダ付き容器は，非接触タグを保持するタグホルダと，タグホルダを装着する容器とで構成されるものであって，タグホルダは，容器に装着された状態で上側に位置する上壁部および下側に位置する下壁部と，上壁部と下壁部とを繋いで全体として枠状壁部をなす第１連結壁部および第２連結壁部と，枠状壁部により囲まれた範囲内に位置し，容器に装着された状態で非接触タグよりも容器における水平面内方向の外側に位置する保護部と，枠状壁部における容器に装着された状態での上下方向または左右方向の外側に形成された被取付形状部とを有し，被取付形状部の少なくとも一部が，保護部よりも容器における水平面内方向の外側に位置しており，容器は，タグホルダを装着する位置よりも上方の上平面部および下方の下平面部と，タグホルダを装着する位置と収納物を収納するスペースとの間を仕切る縦壁面部と，被取付形状部を取り付ける取付形状部とを有し，上平面部，下平面部，および縦壁面部により区画され外向きに開口したタグホルダ装着スペースが形成されているものである。
【０００７】
上記態様におけるタグホルダ付き容器では，タグホルダが，上壁部，下壁部，第１連結壁部，および第２連結壁部からなる枠状壁部により四辺を規定された枠状構造を有しており，比較的高強度である。容器は，上平面部，下平面部，および縦壁面部により少なくとも三方向が区画されたタグホルダ装着スペースを有している。そして，タグホルダの枠状壁部に形成されている被取付形状部と，容器に形成されている取付形状部とにより，タグホルダが上下両側または左右両側から固定された状態でタグホルダ装着スペースに装着されるようになっている。このため，タグホルダ自体の強度も，また容器への取付強度も高い。したがって，タグホルダの容器への取付状態が安定している。また，装着している非接触タグが外部からより確実に保護される。被取付形状部が枠状壁部の上下方向の外側に形成される場合には，取付形状部を，上平面部および下平面部の上下方向の内側に設けることができる。
【０００８】
上記態様のタグホルダ付き容器では，容器にタグホルダを装着した状態で下平面部と下壁部との間に隙間を形成する凸部が，下壁部の下面と下平面部の上面との少なくとも一方に形成されており，下平面部にはさらに，取付形状部とは別の位置に水抜き穴が形成されていることが望ましい。このようになっていれば，装着状態でタグホルダの下壁部とタグホルダ装着スペースの下平面部との間には隙間がある。このため，容器を洗浄した際でも下壁部と下平面部との間の接触箇所に保持される洗浄水の量はごく少量に留まる。また，タグホルダ装着スペースに進入した洗浄水は水抜き穴を経由して容易に排出される。このため，非接触タグと洗浄水との接触は最小限で済む。
【０００９】
上記の凸部や水抜き穴が形成されている態様のタグホルダ付き容器ではさらに，凸部が下壁部の下面に形成されており，水抜き穴は，タグホルダを装着した状態で凸部と対面しない位置に形成されていることが望ましい。このようになっていれば，水抜き穴によるタグホルダ装着スペースの排水性が，凸部により阻害されてしまうことがないからである。
【００１０】
上記のいずれかの態様のタグホルダ付き容器ではまた，容器における，水平方向外側から見てタグホルダ装着スペースの両側に，識別部材取付形状部が形成されていることが望ましい。識別部材に挟まれてタグホルダ装着スペースが配置されていることで，非接触タグ自体が外見上目立たなくても，非接触タグの位置をユーザーが視覚で容易に認識できるからである。
【００１１】
本発明の別の一態様におけるタグホルダは，非接触タグを保持するとともに，容器に装着されてタグホルダ付き容器を構成するタグホルダである。すなわち，前述のいずれかの態様のタグホルダ付き容器における容器に装着可能なタグホルダである。よって本態様のタグホルダは，容器に装着された状態で上側に位置する上壁部および下側に位置する下壁部と，上壁部と下壁部とを繋いで全体として枠状壁部をなす第１連結壁部および第２連結壁部と，枠状壁部により囲まれた範囲内に位置し，容器に装着された状態で非接触タグよりも容器における水平面内方向の外側に位置する保護部と，枠状壁部における容器に装着された状態での上下方向または左右方向の外側に形成された被取付形状部とを有し，枠状壁部には部分的に，容器に装着された状態で外向きに迫り出す形状の迫り出し部が形成されており，被取付形状部は，その少なくとも一部分が迫り出し部に形成されている。このようになっているので，装着状態での非接触タグは，迫り出し部の分，容器のタグホルダ装着スペース内における奥側に寄った位置に保持されることとなる。このため非接触タグの保護性が高い。
【００１２】
上記態様のタグホルダではさらに，保護部が格子状に形成されており，被取付形状部は，保護部の窓の箇所に対応する位置に形成されていることが望ましい。保護部が格子状であれば，保護部と非接触タグとの接触面積も少なく，洗浄時の洗浄水の接触箇所での保持量も少なくて済むということである。また，被取付形状部が保護部の窓に対応して形成されていることで，タグホルダ装着スペースへのタグホルダの装着時に，被取付形状部が変形しやすい。すなわち装着動作が容易にできる。
【００１３】
上記のいずれかの態様のタグホルダではまた，枠状壁部には部分的に，容器に装着された状態で内向きに迫り出す形状の内向き突部が形成されており，被取付形状部は，内向き突部のない位置に形成されていることが望ましい。内向き突部が形成されていることで，タグホルダ装着スペースへのタグホルダの装着時に，タグホルダが奥へ行き過ぎてしまうことが防止される。また，内向き突部から外れた位置に被取付形状部が形成されていることで，装着動作に際して被取付形状部が容易に変形でき，装着しやすい。
【発明の効果】
【００１４】
本構成によれば，タグホルダの容器への取付状態が安定しているとともに，装着している非接触タグが外部からより確実に保護されるタグホルダ付き容器，およびそのタグホルダが提供されている。
【図面の簡単な説明】
【００１５】
【図１】実施の形態に係るタグホルダ付き容器を構成する容器の斜視図である。
【図２】実施の形態に係るタグホルダ付き容器を構成するタグホルダの斜視図（その１）である。
【図３】タグホルダを装着した状態での容器の部分斜視図である。
【図４】実施の形態に係るタグホルダ付き容器を構成するタグホルダの斜視図（その２）である。
【図５】実施の形態に係るタグホルダ付き容器を構成するタグホルダの斜視図（その３）である。
【図６】ＩＣタグを保持している状態のタグホルダの斜視図（その１）である。
【図７】ＩＣタグを保持している状態のタグホルダの斜視図（その２）である。
【図８】タグホルダを装着していない状態での容器の部分斜視図である。
【図９】タグホルダを装着している状態でのタグホルダ装着スペースの状況を示す部分縦断面斜視図（その１）である。
【図１０】タグホルダを装着している状態でのタグホルダ装着スペースの状況を示す部分縦断面斜視図（その２）である。
【図１１】タグホルダを装着している状態でのタグホルダ装着スペースの状況を示す部分縦断面斜視図（その３）である。
【図１２】タグホルダを装着している状態でのタグホルダ装着スペースの状況を示す部分縦断面図（その１）である。
【図１３】タグホルダを装着している状態でのタグホルダ装着スペースの状況を示す部分縦断面図（その２）である。
【図１４】タグホルダを装着している状態でのタグホルダ装着スペースの状況を示す部分縦断面図（その３）である。
【図１５】タグホルダを装着している状態でのタグホルダ装着スペースの状況を示す部分横断面斜視図である。
【図１６】タグホルダを装着している状態でのタグホルダ装着スペースの状況を示す部分横断面図である。
【図１７】タグホルダを装着している状態でのタグホルダ装着スペースの状況を示す正面図である。
【図１８】実施の形態に係るタグホルダ付き容器を構成する容器の正面図である。
【図１９】実施の形態に係るタグホルダ付き容器を構成する容器の背面図である。
【図２０】実施の形態に係るタグホルダ付き容器を積み重ねた状態を示す斜視図である。
【発明を実施するための形態】
【００１６】
以下，本発明を具体化した実施の形態について，添付図面を参照しつつ詳細に説明する。本形態のタグホルダ付き容器は，図１に示す容器１と，図２に示すタグホルダ２とで構成されるものである。タグホルダ２は，後述するＩＣタグ（非接触タグ）を保持するものである。容器１にはタグホルダ装着スペース３が形成されている。タグホルダ装着スペース３には図３に示されるように，タグホルダ２を装着することができる。なお，容器１とタグホルダ２はいずれも樹脂製である。
【００１７】
まずタグホルダ２について説明する。図２のタグホルダ２は，容器１に装着した際に外側となる側から見たものである。反対に内側となる側から見て描いたのが図４である。さらにこれをやや下から見上げて描いたのが図５である。タグホルダ２は，上壁部４と，下壁部５と，連結壁部６と，連結壁部７とを有している。上壁部４，下壁部５は，タグホルダ２を容器１に装着した状態で上側，下側に位置する部位である。連結壁部６，連結壁部７は，タグホルダ２における左右両端に位置し，上壁部４と下壁部５とを繋いでいる部位である。上壁部４，下壁部５，連結壁部６，および連結壁部７により全体として横長の長方形の枠状壁部をなしている。
【００１８】
タグホルダ２はさらに，保護部８を有している。保護部８は，上壁部４，下壁部５，連結壁部６，および連結壁部７により囲まれた範囲内に位置する。本形態における保護部８は，多数の窓９が形成された格子状のものである。保護部８は，タグホルダ２にＩＣタグを取り付けてさらに容器１に装着した状態で，ＩＣタグよりも，容器１における水平面内方向の外側に位置するものである。タグホルダ２はさらに，補助保持部１０，補助保持部１１が形成されている。補助保持部１０，補助保持部１１は，ＩＣタグよりも内側に位置するものであり，上壁部４，下壁部５に対して，容器１に装着された状態での上下方向の内側向きに形成されている。すなわち，補助保持部１０は上壁部４に対して下向きに形成されており，補助保持部１１は下壁部５に対して上向きに形成されている。
【００１９】
タグホルダ２にはさらに，取付凸部１２，取付凸部１３が形成されている。これらは，上壁部４，下壁部５に対して，容器１に装着された状態での上下方向の外側に形成されている形状である。すなわち，取付凸部１２は上壁部４に対して上向きに突出した形状であり，取付凸部１３は下壁部５に対して下向きに突出した形状である。これらはいずれも，タグホルダ２が容器１のタグホルダ装着スペース３に取り付けられるための形状である。これらに対応する容器１側の形状については後述する。また，取付凸部１２，取付凸部１３はいずれも，それらの少なくとも一部が，保護部８よりも容器１における水平面内方向の外側に位置するように配置されている。
【００２０】
また，上壁部４，下壁部５には，容器１に装着された状態での左右方向に対して部分的に，水平面内で内外方向に迫り出した形状の箇所が形成されている。外向きに迫り出しているのが迫り出し部１４（上壁部４），迫り出し部１５（下壁部５）である。前述の取付凸部１２は，その少なくとも一部分が迫り出し部１４に跨って形成されている。同様に取付凸部１３も，その少なくとも一部分が迫り出し部１５に跨って形成されている。迫り出し部１４，迫り出し部１５はまた，前述の保護部８における窓９が形成されている部位に対応して形成されている。したがって取付凸部１２，取付凸部１３も，保護部８における窓９の箇所に対応する位置に存在している。
【００２１】
上壁部４，下壁部５から内向きに迫り出しているのは，内向き突部１６（上壁部４），内向き突部１７（下壁部５）である。内向き突部１６，内向き突部１７は，左右方向に対して前述の迫り出し部１４，迫り出し部１５とは異なる位置に形成されている。したがって取付凸部１２，取付凸部１３も，内向き突部１６，内向き突部１７のない位置に存在している。
【００２２】
下壁部５の下面にはさらに，下向きの凸部１８が形成されている。凸部１８は，前述の取付凸部１３とは別のものである。下壁部５の下面からの突出高さで言えば，取付凸部１３の方が凸部１８より高い。また，タグホルダ２の内面側を見ると（図４，図５），２種類の傾斜面が形成されていることが分かる。１つは連結壁部６の内側に設けられている斜面１９である。斜面１９は，連結壁部６から遠ざかる程低くなる向きの傾斜面である。もう１つは，窓９の縁に形成されている斜面２０である。斜面２０が形成されていることで，保護部８における窓９でない桟状の部分は，外面側（図２）よりも内面側（図４，図５）の方が細くなる形状となっている。
【００２３】
タグホルダ２によりＩＣタグ２１を保持している状態を，図６，図７に示す。図６は，図２と同じ視線での斜視図である。図７は，図４と同じ視線での斜視図である。図６では，窓９からＩＣタグ２１が見えている。図６ではまた，図２で見えていたもののうち，補助保持部１０，補助保持部１１，および内向き突部１７（一部分を除く）が，ＩＣタグ２１に隠れて見えなくなっている。図７では，図４で見えていたもののうち，保護部８（窓９，斜面２０を含む）および迫り出し部１５が，ＩＣタグ２１に隠れて見えなくなっている。なお，図３中に示したタグホルダ２は，ＩＣタグ２１を保持していない状態のものである。
【００２４】
タグホルダ２に保持されているＩＣタグ２１は，四方を上壁部４，下壁部５，連結壁部６，および連結壁部７により規制されている。また厚み方向には保護部８および補助保持部１０，補助保持部１１により規制されている。タグホルダ２へのＩＣタグ２１の取り付けは，次のようにして行う。すなわち，図４における連結壁部６（斜面１９のあるもの）の方から，保護部８と補助保持部１０および補助保持部１１との間の隙間へＩＣタグ２１を挿し込んで滑り込ませるのである。このとき，斜面１９，斜面２０が形成されていることで，ＩＣタグ２１の引っ掛かりが生じにくくなっている。なお，ＩＣタグ２１自体は可撓性があるので，挿入に別段の難はない。
【００２５】
続いて，容器１におけるタグホルダ装着スペース３について説明する。まず容器１そのものについてであるが，底面部２２と，その四辺の上方に設けられた側壁部２３とにより全体の概形をなしているものである。側壁部２３の最上端には，水平な上端フランジ部２４が形成されている。上端フランジ部２４よりやや下方には，これも水平な下段フランジ部２５が形成されている。
【００２６】
図８に，図１に示した容器１におけるタグホルダ装着スペース３の箇所の拡大斜視図を示す。この図８は，図３に示したものを，タグホルダ２を取り外した状態で同じ視線で見た斜視図である。タグホルダ装着スペース３の箇所にも上端フランジ部２４が形成されている。以下，上端フランジ部２４のうちタグホルダ装着スペース３の箇所の部分を特に，上平面部２６という。
【００２７】
タグホルダ装着スペース３の箇所における上端フランジ部２４の下方には，水平な下平面部２７が形成されている。上平面部２６はタグホルダ装着スペース３より上方に位置し，下平面部２７は下方に位置する。さらに，タグホルダ装着スペース３の奥の方には，縦方向の縦壁面部２８が設けられている。上平面部２６，下平面部２７，および縦壁面部２８により，タグホルダ装着スペース３の上方，下方，奥方が区画されている。縦壁面部２８はまた，タグホルダ装着スペース３と，容器１における収納物を収納するスペースとの間を仕切っている。また，タグホルダ装着スペース３の左右には，縦リブ２９，縦リブ３０が形成されている。これらにより，タグホルダ装着スペース３の両側方が区画されている。なお本形態では，下平面部２７は下段フランジ部２５と同一の高さ位置ではなく，それより高い位置に設けられている。
【００２８】
上平面部２６には，取付穴３１が形成されている。同様に下平面部２７にも，取付穴３２が形成されている。取付穴３１および取付穴３２は，タグホルダ装着スペース３にタグホルダ２を装着するための形状である。すなわち，上平面部２６の取付穴３１は，タグホルダ２の上壁部４の取付凸部１２を取り付けるための形状である。同様に下平面部２７の取付穴３２は，下壁部５の取付凸部１３を取り付けるための形状である。なお，本形態では取付穴３１，取付穴３２はいずれも貫通穴であることとしているが，それは必須ではない。取付穴３１は下面から凹んでいる有底穴でもよいし，取付穴３２は上面から凹んでいる有底穴でもよい。
【００２９】
下平面部２７にはさらに，取付穴３２とは別に水抜き穴３３が形成されている。水抜き穴３３は，タグホルダ２の下壁部５の取付凸部１３とも凸部１８とも対面しない位置に形成されている。水抜き穴３３は，貫通穴である必要がある。また，下平面部２７の外縁には，下方に向けて垂れ部３４が形成されている。垂れ部３４は，ユーザーが容器１を持つときに指を掛けるための部位である。
【００３０】
上記のように構成されている容器１へのタグホルダ２の装着は，次のようにして行う。すなわち，タグホルダ２における図２，図６に示される面を外向きにして，上壁部４が上向きとなり下壁部５が下向きとなる姿勢にして，タグホルダ２を容器１のタグホルダ装着スペース３に押し込む。タグホルダ２も容器１もある程度の可撓性があるので，主としてタグホルダ２の取付凸部１２，取付凸部１３がやや圧縮されながらタグホルダ２はタグホルダ装着スペース３に挿入されていく。取付凸部１２，取付凸部１３が容器１の取付穴３１，取付穴３２に嵌ると，タグホルダ２がタグホルダ装着スペース３に装着されたことになる。なお，タグホルダ２へのＩＣタグ２１の取り付けはあらかじめ済ませておく。
【００３１】
タグホルダ２を装着している状態でのタグホルダ装着スペース３の状況を断面図により説明する。当該箇所の状況を，図９〜図１１の部分縦断面斜視図，図１２〜図１４の部分縦断面図，図１５の部分横断面斜視図，および図１６の部分横断面図に示す。ただしこれらの図においては，ＩＣタグ２１自体は省略して描いている。
【００３２】
図９および図１２は，取付凸部１２，取付凸部１３，取付穴３１，取付穴３２の箇所の縦断面を示している。これらの図には，取付凸部１２が取付穴３１に，取付凸部１３が取付穴３２に，それぞれ嵌っている状況が現れている。図１０および図１３は，水抜き穴３３の箇所の縦断面を示している。これらの図には，水抜き穴３３が何者にも塞がれていない状況が現れている。図１１および図１４は，内向き突部１６，内向き突部１７，および凸部１８の箇所の縦断面を示している。これらの図には，タグホルダ２のうち容器１の下平面部２７に接しているのは凸部１８であることが現れている。また，タグホルダ２のうち縦壁面部２８にごく近接して位置しているのは内向き突部１６および内向き突部１７であることが現れている。このことは，図１５および図１６の横断面図にも現れている。
【００３３】
上記のように説明した容器１およびタグホルダ２により構成される本形態のタグホルダ付き容器では，次のような利点がある。まず，タグホルダ２自体の強度が高いことが挙げられる。タグホルダ２の構造が，上壁部４，下壁部５，連結壁部６，および連結壁部７を有するしっかりした枠状構造だからである。また，タグホルダ２のタグホルダ装着スペース３への取付強度も高い。上側（取付凸部１２と取付穴３１）と下側（取付凸部１３と取付穴３２）との両側でタグホルダ２が保持されるからである。
【００３４】
それでいて，タグホルダ２のタグホルダ装着スペース３への装着動作が過度に渋いということもない。タグホルダ２において取付凸部１２，取付凸部１３が形成されている位置が，保護部８の窓９に対応する位置であるためである。また，上壁部４，下壁部５における内向き突部１６，内向き突部１７から外れている位置だからである。また，装着の際にタグホルダ２が奥へ入り込み過ぎてしまうということもない。そのような事態は内向き突部１６，内向き突部１７により防止されているからである。
【００３５】
また，タグホルダ２に保持されているＩＣタグ２１の保護性が良好である。これには３通りの意味がある。第１に，外面側からのＩＣタグ２１への接触に対する保護性が高いということである。その理由は，ＩＣタグ２１が，タグホルダ装着スペース３におけるかなり奥の方に位置することにある。これは前述のように，取付凸部１２，取付凸部１３が，上壁部４，下壁部５における外向きの迫り出し部１４，迫り出し部１５に少なくとも一部分が跨って形成されているからである。このため図１２から明らかなように，ＩＣタグ２１の保持位置（保護部８と，補助保持部１０および補助保持部１１とにより挟まれる位置）が，タグホルダ装着スペース３の最外開口部（図１２中における右端）から奥まって位置するのである。また，ＩＣタグ２１の外面側に保護部８が存在すること自体もＩＣタグ２１の保護性を高めている。このため，ユーザーが誤って指を垂れ部３４に掛ける代わりにタグホルダ装着スペース３に掛けて容器１を持ち上げようとしたとしても，指がＩＣタグ２１に接触してしまうことはほとんどない。
【００３６】
ＩＣタグ２１の保護性の第２の意味は，内面側からのＩＣタグ２１への接触に対する保護性が高いということである。その理由は，タグホルダ装着スペース３の最も奥の箇所が，縦壁面部２８により塞がれているからである。このため，容器１への収納物の出し入れの際に，収納物によりＩＣタグ２１を攻撃してしまうことが防止されている。
【００３７】
ＩＣタグ２１の保護性の第３の意味は，容器１を洗浄する際における洗浄水からのＩＣタグ２１の保護性が高いということである。その理由としてはまず，前述の縦壁面部２８があることで，収納スペース側からタグホルダ装着スペース３への洗浄水の進入が防止されていることが挙げられる。
【００３８】
そして，ＩＣタグ２１に洗浄水が付着したままになりにくいことも挙げられる。タグホルダ装着スペース３へ外側の開口側から洗浄水がある程度進入することは避け難いが，進入した洗浄水は，下平面部２７の水抜き穴３３を通って速やかにタグホルダ装着スペース３から排出されるからである。ここで前述のように水抜き穴３３は何者にも塞がれていないため，排水効率が高い。また，保護部８が格子状とされておりさらにＩＣタグ２１側に斜面２０が形成されているので，保護部８とＩＣタグ２１との接触面積はごく小さい。よって，保護部８とＩＣタグ２１との接触箇所に保持される洗浄水はごく少量でしかない。さらに，前述の凸部１８によりタグホルダ２と下平面部２７との間に隙間が確保されている（図１７中の矢印Ａ）。このため，タグホルダ２（下壁部５）と下平面部２７との接触箇所に保持される洗浄水もごく少量でしかない。
【００３９】
続いて，容器１におけるタグホルダ装着スペース３と他の構造との位置関係について説明する。図１に示したように，容器１におけるタグホルダ装着スペース３の左右両隣には，識別部材３５が取り付けられている。識別部材３５は，ユーザーレベルで自由に色を選択して当該箇所に取り付けることができる部材であり，容器１の個体を視覚で識別するためのものである。図１５の斜視断面図には，容器１における識別部材取付形状部３６が現れている。識別部材３５はその目的からして視覚的に目立ちやすいものである。このようにタグホルダ装着スペース３が識別部材３５に挟まれて位置することで，ＩＣタグ２１の装着位置がユーザーにわかりやすくなっている。前述のように保護性のためにＩＣタグ２１自体はあまり目立たない位置に装着されているが，識別部材３５の近くにタグホルダ装着スペース３が設けられることでその点が補われている。
【００４０】
図１８に，容器１を図１中の矢印Ｆの視線から見た正面図を示す。図１８から分かるように，容器１においては，タグホルダ装着スペース３の中心位置（矢印Ｂ）が，容器１の全体の中心位置（矢印Ｃ）と一致しておらず左にずれている。その理由は，この容器１のこの面には，これまでに説明したものの他に，カード取り付け箇所３７が設けられていることにある。カード取り付け箇所３７は，ＩＣタグ２１や識別部材３５とは別に，何らかの情報を表示するカードを取り付けるための部位である。つまり容器１では，カード取り付け箇所３７を図１８中の右端付近に配置したため，その分，タグホルダ装着スペース３や識別部材３５の位置を中心からずらして配置しているのである。
【００４１】
図１９に，容器１を図１中の矢印Ｒの視線から見た背面図を示す。図１９から分かるように，背面側にもタグホルダ装着スペース３および識別部材３５が設けられているが，カード取り付け箇所３７は設けられていない。したがって背面側においては，タグホルダ装着スペース３の中心位置（矢印Ｂ）と容器１の全体の中心位置（矢印Ｃ）とをずらす必然性はない。しかしそれでも図１９では敢えて，図１８の正面側と同様にずらした配置としている。なお図１９中のタグホルダ装着スペース３にはタグホルダ２が装着されていないが，むろん装着可能である。
【００４２】
図２０に，複数個の容器１を積み重ねた状態を示す。図２０では，最下段および中段の２つの容器１はいずれも，図１８の正面を左手前側に向けており，同じ向きである。このためこれら２つの容器１は，底面部２２同士の間隔を空けつつ重ねられている。これは，最下段の容器１に収納物を収納している場合のための重ね方である。一方，最上段の容器１は，図１９の背面を左手前側に向けている。すなわち上の２つの容器１は互いに逆向きにして重ねられている。このためこれら２つの容器１では，底面部２２同士の間隔が接近している。これは，中段の容器１が空荷である場合のための重ね方である。このような積み重ね方をしても，左手前側の面におけるタグホルダ装着スペース３の位置はどの段の容器１でも同じである。このため，ＩＣタグ２１の読取器を縦一直線に移動させるだけで，すべての容器１のＩＣタグ２１を読み取ることができる。これが，図１９の背面で敢えて矢印Ｂの位置を矢印Ｃの位置からずらしたことの効果である。
【００４３】
以上詳細に説明したように本実施の形態によれば，タグホルダ付き容器のタグホルダ２を，枠状の部分を有する高強度な構造のものとしている。そして容器１への装着状態において，タグホルダ２が上下両側から固定されるようにしている。さらに，タグホルダ２における被取付形状部（取付凸部１２，取付凸部１３）と，ＩＣタグ２１の保持位置との関係により，ＩＣタグ２１がタグホルダ装着スペース３内のかなり奥の方に位置するようにしている。これにより，タグホルダ２の容器１への取付状態が安定しているとともに，装着しているＩＣタグ２１が外部からより確実に保護されるタグホルダ付き容器，およびそのタグホルダ２が実現されている。
【００４４】
なお，本実施の形態は単なる例示にすぎず，本発明を何ら限定するものではない。したがって本発明は当然に，その要旨を逸脱しない範囲内で種々の改良，変形が可能である。例えば前記形態では，容器１における下平面部２７の高さ位置を，下段フランジ部２５の高さ位置より高い位置としている。しかしそのことは必須ではなく，下平面部２７と下段フランジ部２５との高さ関係は任意である。また，タグホルダ装着スペース３を正面側（図１８）と背面側（図１９）との両方に設けることも必須ではなく，少なくとも一方にタグホルダ装着スペース３が設けられていれば本発明に該当する。また，タグホルダ装着スペース３を容器１の側壁部２３における短辺部分に設けることも必須ではなく，長辺部分に設けてもよい。
【００４５】
また，タグホルダ２のタグホルダ装着スペース３への取付構造において，凸部と穴との関係を逆にしてもよい。すなわち，上平面部２６に下向きの凸部を設けて上壁部４に凹部を設けてもよい。同様に，下平面部２７に上向きの凸部を設けて下壁部５に凹部を設けてもよい。また，取付凸部１２および取付凸部１３を，上壁部４および下壁部５に設ける代わりに，連結壁部６および連結壁部７に横向きに突出させて設けてもよい。この場合には，迫り出し部１４および迫り出し部１５も，上壁部４および下壁部５に設ける代わりに連結壁部６および連結壁部７に設けて，取付凸部１２および取付凸部１３の少なくとも一部をそこに跨って形成することとなる。この場合にはまた，容器１における取付穴３１および取付穴３２も，上平面部２６および下平面部２７に設ける代わりに，縦リブ２９および縦リブ３０に設けることとなる。この場合でもむろん，凸部と穴とを入れ替えてもよい。また，内向き突部１６および内向き突部１７も，上壁部４および下壁部５に設ける代わりに連結壁部６および連結壁部７に設けてもよい。
【００４６】
また，タグホルダ２の凸部１８については，内向き突部１７の形成位置と一致しない位置に設けてもよい。凸部１８についてはまた，下壁部５と上壁部４との両方に設けてもよい。この場合，タグホルダ２を上下左右逆向きにして装着しても前述と同様にタグホルダ２と下平面部２７との間の隙間が確保される。あるいは，凸部１８を，タグホルダ２に設ける代わりに下平面部２７の上面に設けてもよい。さらに，タグホルダ２に保持する非接触タグは，ＩＣタグ２１に限らず，光学読取式等の他の種類のものでもよい。
【符号の説明】
【００４７】
１    容器
２    タグホルダ
３    タグホルダ装着スペース
４    上壁部（枠状壁部）
５    下壁部（枠状壁部）
６    連結壁部（枠状壁部）
７    連結壁部（枠状壁部）
８    保護部
９    窓
１２  取付凸部（被取付形状部）
１３  取付凸部（被取付形状部）
１４  迫り出し部
１５  迫り出し部
１６  内向き突部
１７  内向き突部
１８  凸部
２１  ＩＣタグ
２６  上平面部
２７  下平面部
２８  縦壁面部
３１  取付穴（取付形状部）
３２  取付穴（取付形状部）
３３  水抜き穴
３５  識別部材
３６  識別部材取付形状部
【図１】
2019142568.tif 000003
【図２】
2019142568.tif 000004
【図３】
2019142568.tif 000005
【図４】
2019142568.tif 000006
【図５】
2019142568.tif 000007
【図６】
2019142568.tif 000008
【図７】
2019142568.tif 000009
【図８】
2019142568.tif 000010
【図９】
2019142568.tif 000011
【図１０】
2019142568.tif 000012
【図１１】
2019142568.tif 000013
【図１２】
2019142568.tif 000014
【図１３】
2019142568.tif 000015
【図１４】
2019142568.tif 000016
【図１５】
2019142568.tif 000017
【図１６】
2019142568.tif 000018
【図１７】
2019142568.tif 000019
【図１８】
2019142568.tif 000020
【図１９】
2019142568.tif 000021
【図２０】
2019142568.tif 000022